(57)【要約】【課題】コンテンツサーバ装置に記憶されているコンテンツの視聴機会を高める。【解決手段】コンテンツ取得制御部１０８は、ユーザの指示に従ってメタデータ取得部１０２が取得したメタデータに基づきコンテンツ取得予定リストを生成し、著作権管理方式に応じたコンテンツの取得可否の判定を著作権管理方式利用可能判定部１０３に指示し、著作権管理方式利用可能判定部１０３の判定結果と著作権管理方式優先度管理部１０７が管理するプロファイルの優先度に従ってコンテンツ取得予定リストをフィルタリング・整列する。【選択図】図２
2011215761.tif 000002
【特許請求の範囲】
【請求項１】
通信回線を介してコンテンツサーバ装置からコンテンツを取得するコンテンツ取得端末において、
前記コンテンツを利用するための著作権管理方式毎に前記コンテンツを取得する際の優先度を定義したプロファイルを管理する著作権管理方式優先度管理部と、
前記コンテンツサーバ装置に蓄積されているコンテンツに関するメタデータを取得するメタデータ取得部と、
前記著作権管理方式毎に前記コンテンツサーバ装置から前記通信回線を介してコンテンツの取得可否を判定する著作権管理方式利用可能判定部と、
ユーザの指示に従って前記メタデータ取得部が取得したメタデータに基づきコンテンツ取得予定リストを生成し、前記著作権管理方式に応じたコンテンツの取得可否の判定を前記著作権管理方式利用可能判定部に指示し、前記著作権管理方式利用可能判定部の判定結果と前記著作権管理方式優先度管理部が管理するプロファイルの優先度に従って前記コンテンツ取得予定リストをフィルタリング・整列するコンテンツ取得制御部
とを備えたコンテンツ取得端末。
【請求項２】
前記著作権管理方式毎にコンテンツが利用可能であった累計時間に基づき、前記著作権管理方式優先度管理部が管理するプロファイルの優先度を変更する優先度プロファイル自動変更部を備え、
前記著作権管理方式利用可能判定部は、定期的に前記著作権管理方式毎にコンテンツの取得可否を判定し、判定した取得可否のタイミングを前記優先度プロファイル自動変更部へ通知し、
前記優先度プロファイル自動変更部は、前記著作権管理方式利用可能判定部から通知された取得可否のタイミングに基づきコンテンツが利用可能であった累計時間を求めることを特徴とする請求項１記載のコンテンツ取得端末。
【発明の詳細な説明】
【技術分野】
【０００１】
本発明は乗車時におけるカーナビや携帯電話等において、各種ネットワークからコンテンツを閲覧等する際に使用するコンテンツ取得端末に関するものである。
【背景技術】
【０００２】
特許文献１には宅内にあるコンテンツサーバ装置が、コンテンツの再生を行う車載プレイヤ装置に対して、ＬＡＮ（Ｌｏｃａｌ  Ａｒｅａ  Ｎｅｔｗｏｒｋ）、インターネット、携帯電話回線のいずれかを介してコンテンツを配信する、コンテンツサーバ装置、車載プレイヤ装置、システムが開示されている。
上記文献では、コンテンツサーバ装置において配信するコンテンツを予め車載プレイヤ装置と共有している固有情報に従って暗号化しておき、車載プレイヤ装置の求めに応じて、迅速に暗号化されたコンテンツの配信を行う。
【先行技術文献】
【特許文献】
【０００３】
【特許文献１】特開２００７−５８８１０号公報
【発明の概要】
【発明が解決しようとする課題】
【０００４】
以上に述べた従来のコンテンツサーバ装置によると、コンテンツサーバ装置は車載プレイヤから要求を受けた際の通信路が、ＬＡＮ、インターネット、携帯電話回線のいずれであっても、通信路の区別をせず一律にコンテンツの配信を行っていた。
【０００５】
しかし、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）仕様に従ってネットワーク配信を行う地上デジタル放送の録画コンテンツなど、ＬＡＮを経由した場合しかコンテンツの転送が認められていないコンテンツの場合、インターネットや携帯電話回線を経由した通信でコンテンツの転送を行うことは許可されておらず、車載プレイヤを用いるユーザが視聴したいコンテンツを視聴することができない場合があるという課題があった。
【０００６】
本発明は、上記のような課題を解決するためになされたもので、コンテンツ取得端末を車・携帯電話などの移動体に搭載する場合、通信状況によって利用可能な著作権管理方式が異なっていても、より利用できる機会が少ない著作権管理方式のコンテンツを優先的に取得するように著作権管理方式優先度プロファイルを定めておくことで、コンテンツサーバ装置に記憶されているコンテンツの視聴機会を高めるコンテンツ取得端末を提供することを目的とする。
【課題を解決するための手段】
【０００７】
この発明に係るコンテンツ取得端末は、コンテンツを利用するための著作権管理方式毎にコンテンツを取得する際の優先度を定義したプロファイルを管理する著作権管理方式優先度管理部と、コンテンツサーバ装置に蓄積されているコンテンツに関するメタデータを取得するメタデータ取得部と、著作権管理方式毎にコンテンツサーバ装置から通信回線を介してコンテンツの取得可否を判定する著作権管理方式利用可能判定部と、ユーザの指示に従ってメタデータ取得部が取得したメタデータに基づきコンテンツ取得予定リストを生成し、著作権管理方式に応じたコンテンツの取得可否の判定を著作権管理方式利用可能判定部に指示し、著作権管理方式利用可能判定部の判定結果と著作権管理方式優先度管理部が管理するプロファイルの優先度に従ってコンテンツ取得予定リストをフィルタリング・整列するコンテンツ取得制御部を備えるものである。
【発明の効果】
【０００８】
この発明によれば、ユーザが所望するコンテンツの検索結果に対し、著作権管理方式優先度プロファイルによって整列またはフィルタリングを行うようにしたので、ユーザはコンテンツサーバ装置に記憶されているコンテンツの視聴機会を増やすことができるという効果がある。
【図面の簡単な説明】
【０００９】
【図１】この発明の実施の形態１に係るコンテンツ取得端末が適用されるシステムの構成を示すブロック図である。
【図２】この発明の実施の形態１に係るコンテンツ取得端末の処理を示すフローチャートである。
【図３】この発明の実施の形態１に係るコンテンツ取得端末においてユーザがサーバを選択するための画面の表示例である。
【図４】この発明の実施の形態１に係るコンテンツ取得端末におけるコンテンツ取得設定画面である。
【図５】この発明の実施の形態１に係るコンテンツ取得端末において図４のコンテンツ取得設定画面において映像フォルダを選択して画面遷移した際のコンテンツ取得画面である。
【図６】この発明の実施の形態１に係るコンテンツ取得端末において、ユーザが選択したディレクトリやファイルの設定情報を登録するテーブルである。
【図７】この発明の実施の形態１に係るコンテンツ取得予定リストの一例である。
【図８】この発明の実施の形態１に係る著作権管理方式優先度プロファイルである。
【図９】この発明の実施の形態に１に係る図７のコンテンツ取得予定リストについて所定のフィルタリング又は整列を行ったときのコンテンツ取得予定リストである。
【図１０】この発明の実施の形態１においてユーザインタフェース部が表示するコンテンツリストの一例である。
【図１１】この発明の実施の形態２に係るコンテンツ取得端末が適用されるシステムの構成を示すブロック図である。
【図１２】この発明の実施の形態２に係る各著作権管理方式毎にコンテンツが利用可能な累計時間を示す表である。
【発明を実施するための形態】
【００１０】
実施の形態１．
図１は、本発明の実施の形態１に係るコンテンツ取得端末１００が適用されるシステムの構成を示すブロック図である。図１において、コンテンツ取得端末１００は通信インタフェース１０１、メタデータ取得部１０２、著作権管理方式利用可能判定部１０３、認証・鍵交換部１０４、コンテンツダウンロード部１０５、コンテンツ蓄積部１０６、著作権管理方式優先度管理部１０７、コンテンツ取得制御部１０８及びユーザインタフェース部１０９から構成される。
【００１１】
当該コンテンツ取得端末１００の通信インタフェース１０１にはコンテンツサーバ装置２０からのコンテンツが、それぞれ無線ルータ４０経由、インターネット５０及び無線アクセスポイント３０経由で提供される。
コンテンツサーバ装置２０はコンテンツ取得端末１００へコンテンツを配信する。無線アクセスポイント３０はコンテンツ取得端末１００がインターネット５０経由でコンテンツサーバと通信を行う際に使用される。無線ルータ４０はコンテンツ取得端末１００がコンテンツサーバ装置２０と同一ネットワークセグメントでの通信を可能にする。
【００１２】
次に本実施の形態におけるコンテンツ取得端末１００の構成について説明する。通信インタフェース１０１は直接同一サブネットワークにあるコンテンツサーバ装置２０と通信を行うか、またはインターネット５０を経由して出先からコンテンツサーバ装置２０と通信を行う。
【００１３】
メタデータ取得部１０２はコンテンツサーバ装置２０を識別するための機器ＩＤの保持、機器ＩＤに対応するコンテンツサーバ装置２０の発見、及びコンテンツサーバ装置２０が蓄積するコンテンツのメタデータを取得する。著作権管理方式利用可能判定部１０３は著作権管理方式毎にコンテンツサーバ装置２０からコンテンツ取得が可能であるかどうかを通信インタフェース１０１を通じて、ネットワーク状況から判定する。
【００１４】
認証・鍵交換部１０４はコンテンツ取得制御部１０８から指定されたコンテンツサーバ装置２０との間で、著作権管理対象であるコンテンツの転送を行うために、コンテンツサーバ装置２０の認証とコンテンツの暗号化のための鍵交換を行う。コンテンツダウンロード部１０５はコンテンツ取得制御部１０８からの指示によりコンテンツのダウンロードを行う。
コンテンツ蓄積部１０６はコンテンツダウンロード部１０５の指示によりコンテンツを蓄積する。著作権管理方式優先度管理部１０７は著作権管理方式毎にコンテンツを取得する際の優先度を定義したプロファイルを管理する。
【００１５】
コンテンツ取得制御部１０８はユーザから指定された複数のコンテンツの取得要求を受け付け、メタデータ取得部１０２から前記複数のコンテンツに関するメタデータを取得してコンテンツ取得予定リストを生成する。そしてコンテンツ取得制御部１０８は取得した前記メタデータに含まれる著作権管理方式について、著作権管理方式利用可能判定部１０３から現在コンテンツ取得が可能である著作権管理方式の情報を取得し、コンテンツ取得予定リストのフィルタリングを行う。
【００１６】
また、コンテンツ取得制御部１０８は著作権管理優先度管理部１０７から取得した優先度に基づき、コンテンツ取得予定リストを優先度の降順にソートし、前記ソートしたリストに含まれるコンテンツのＵＲＩ（Ｕｎｉｆｏｒｍ  Ｒｅｓｏｕｒｃｅ  Ｉｄｅｎｔｉｆｉｅｒ）を指定して、優先度の高い順にコンテンツダウンロード部１０５に対してコンテンツの取得を指示する。
ユーザインタフェース部１０９はユーザからの入力を受け付けコンテンツ取得制御部１０８へその入力を伝えると共に、ユーザへ必要な情報の提示を行う。
【００１７】
図２はこの発明の実施の形態１に係るコンテンツ取得端末１００にてユーザが選択したコンテンツをコンテンツ取得端末１００が提供するまでのフローチャートである。
【００１８】
次に図２に従って、コンテンツ取得端末１００の動作を説明する。
概略としてコンテンツ取得端末１００はユーザからのコンテンツ取得要求に基づき、要求したコンテンツがコンテンツサーバ装置２０にあるか確認し、著作権管理方式の順にユーザに提供する。以下、詳細について述べる。
まず、メタデータ取得部１０２は、コンテンツ取得端末１００が無線ルータ４０を介して直接コンテンツサーバ装置２０を発見可能な際は、ＵＰｎＰ（Ｕｎｉｖｅｒｓａｌ  Ｐｌｕｇ  ａｎｄ  Ｐｌａｙ）を使ってコンテンツサーバ装置２０を発見する（ＳＴ２００）。
【００１９】
またコンテンツ取得端末１００が無線アクセスポイント３０を介してインターネット５０経由でコンテンツサーバ装置２０に接続する際には、予め無線ルータ４０の外部ネットワーク接続用ポートに割り当てられたＩＰアドレスあるいはホスト名と、コンテンツサーバ装置２０へのアクセス用ポート番号の組を、メタデータ取得部１０２が記憶しておく。
【００２０】
無線ルータ４０は、特定ポートへのアクセスをコンテンツサーバ装置２０へ転送することで、インターネット５０を介した場合でも、コンテンツ取得端末１００とコンテンツサーバ装置２０は直接通信する事が可能となる。インターネット５０を経由する場合、しない場合のいずれにおいても、メタデータ取得部１０２は予めコンテンツサーバ装置２０から取得しておいたコンテンツサーバ装置２０を一意に識別可能な機器ＩＤを、発見したコンテンツサーバ装置２０から取得し、照合を行う。
【００２１】
次にユーザインタフェース部１０９は、ユーザの指示によりメタデータ取得部１０２が発見、保持しているコンテンツサーバ装置２０の情報の取得をメタデータ取得部１０２に要求し（ＳＴ２０１）、メタデータ取得部１０２はコンテンツサーバ装置２０の一覧情報をユーザインタフェース部１０９に提示する（ＳＴ２０２）。ユーザインタフェース部１０９は取得した情報に基づきユーザがコンテンツを取得するためのコンテンツサーバ装置２０を選択するための画面を表示する（ＳＴ２０３）。
【００２２】
図３はユーザインタフェース部１０９が表示するサーバ選択画面の一例である。図３のサーバ選択画面３００にはコンテンツの取得が可能なコンテンツサーバ装置２０としてのサーバ１，２，３のサーバ名３０１〜３０３が表示される。ユーザはサーバ選択画面３００を操作して、自分が所望するコンテンツを探すためにサーバを選択する（ＳＴ２０４）。
【００２３】
続いてユーザインタフェース部１０９は、ユーザの指示によりユーザが選択したコンテンツサーバ装置２０が外部に公開するコンテンツのメタデータの取得をメタデータ取得部１０２に要求する（ＳＴ２０５）。
メタデータ取得部１０２は、通信インタフェース１０１を介して、コンテンツメタデータ取得要求をコンテンツサーバ装置２０へ行い（ＳＴ２０６）、コンテンツサーバ装置２０はその結果をユーザインタフェース部１０９へ応答する（ＳＴ２０７，ＳＴ２０８）。
【００２４】
図４はコンテンツ取得設定画面の一例であり、ユーザインタフェース部１０９は以下の取得したメタデータに基づきコンテンツ取得設定画面４００を表示する（ＳＴ２０９）。
・コンテンツのタイトル、フォーマット
・コンテンツサーバ装置２０上においてコンテンツのメタデータを識別するためのオブジェクトＩＤ
・コンテンツを取得するためのＵＲＩ
・コンテンツが対応する著作権管理方式
・コンテンツがディレクトリかファイルのいずれであるか
【００２５】
図４において、コンテンツ取得設定画面４００にはサーバ選択画面３００において選択したサーバのサーバ名４０１及びサーバ名４０１のサーバが外部に公開するディレクトリの内、最上位層に配置される４０２〜４０４が表示される。
【００２６】
図５は、図４に示したコンテンツ取得設定画面４００において、映像フォルダのディレクトリ４０４を選択した後に、画面遷移したコンテンツ取得設定画面である。
図５において、コンテンツ取得設定画面５００には、サーバ選択画面３００において選択したサーバのサーバ名５０１、図４のコンテンツ取得設定画面で選択したディレクトリ５０２、ディレクトリ５０２の下位に位置するディレクトリ５０３及び５０４が表示される。
【００２７】
図４及び図５に示したユーザインタフェースにより、ユーザは所望のコンテンツを含むディレクトリやファイルを選択する（ＳＴ２１０）。ユーザインタフェース部１０９は、選択されたディレクトリやファイルをコンテンツを取得するための設定情報としてコンテンツ取得制御部１０８へ登録する（ＳＴ２１１）。
【００２８】
図６はユーザが選択したディレクトリやファイルの設定情報を登録するコンテンツ取得設定画面である。このときコンテンツ取得制御部１０８は、登録された設定情報を図６に示すテーブルの形で保持する。図６のコンテンツ取得設定画面６００には、コンテンツ取得設定画面６００に登録された各設定情報を識別するための設定ＩＤ６０１、登録されたファイルやディレクトリが存在するサーバのサーバ名６０２、登録されたファイルやディレクトリのタイトル６０３が表示される。
【００２９】
また、コンテンツ取得設定画面６００には上記に加え、コンテンツサーバ装置２０上においてコンテンツのメタデータを識別するためのオブジェクトＩＤ６０４、登録された設定情報がディレクトリであるかファイルであるかを示すための設定属性６０５、登録された設定情報に関連づけられるコンテンツが全て取得されたかどうかを示す取得状況６０６が表示される。
【００３０】
図２において、ユーザが任意のタイミングでユーザインタフェース部１０９を通じてコンテンツの取得を要求する（ＳＴ２１２）と、ユーザインタフェース部１０９は、コンテンツ取得制御部１０８に対してコンテンツの取得開始を要求する（ＳＴ２１３）。
コンテンツ取得開始要求を受信したコンテンツ取得制御部１０８は、コンテンツ取得設定画面６００を参照して、取得状況６０６が「未取得」になっている設定情報について、コンテンツを取得するためのメタデータの取得をメタデータ取得部１０２経由でコンテンツサーバ装置２０へ要求する（ＳＴ２１４，ＳＴ２１５）。
【００３１】
ここで、コンテンツ取得制御部１０８は設定属性６０５がディレクトリかファイルかいずれかによって、下記の処理を行う。
・設定属性がディレクトリの場合
メタデータ取得部１０２に対して、オブジェクトＩＤ６０４で指定されるメタデータの一階層下のメタデータを要求
・設定属性がファイルの場合
メタデータ取得部１０２に対して、オブジェクトＩＤ６０４で指定されるメタデータを要求
【００３２】
図７はコンテンツ取得予定リストの一例である。コンテンツサーバ装置２０は、コンテンツ取得制御部１０８の要求に応じてコンテンツのメタデータを応答する（ＳＴ２１６，ＳＴ２１７）。その結果、コンテンツ取得制御部１０８は図７に示すようなコンテンツ取得予定リストを取得したメタデータを基に生成する。図７のコンテンツ取得予定リスト７００には、コンテンツ取得予定リスト７００に登録されている取得予定のコンテンツを識別するための取得リストＩＤ７０１、コンテンツのタイトル７０２、著作権管理方式７０３、コンテンツのフォーマット７０４、コンテンツを取得するためのＵＲＩ７０５が表示される。
【００３３】
なお、ＳＴ２１４〜ＳＴ２１７は、コンテンツ取得制御部１０８により、取得状況６０６が「未取得」である設定情報に対して一回実施される処理であり、設定情報の数だけ必要な回数繰り返される処理である。
次にコンテンツ取得制御部１０８は、著作権管理方式利用可能判定部１０３に対して、コンテンツ取得予定リスト７００に含まれる著作権管理方式７０３について、それらの著作権管理方式に応じた方式でコンテンツの転送が可能であるかどうかの判定を要求する（ＳＴ２１８）。
【００３４】
図７に示した例では、方式Ａ及び方式Ｂについての判定を要求する。
著作権管理方式利用可能判定部１０３は、例えば以下のような処理によって、指定された著作権管理方式に応じた方式でコンテンツサーバ装置２０からコンテンツの転送が利用可能であるかどうかを調べ（ＳＴ２１９）、その結果をコンテンツ取得制御部１０８へ応答する（ＳＴ２２０）。
【００３５】
・著作権管理方式がＤＴＣＰ−ＩＰであった場合
ＤＴＣＰ−ＩＰでは、コンテンツを蓄積するサーバからのコンテンツ配信の範囲を制限し、下記の制限を満足する場合にしかコンテンツを配信しない。このため著作権管理方式利用可能判定部１０３は下記の条件がコンテンツサーバ装置２０に対して成立しているかどうかを調べる。
通信インタフェース１０１を介してコンテンツサーバ装置２０とＩＰ通信する際、ＩＰパケットのＴＴＬ(Ｔｉｍｅ Ｔｏ Ｌｉｖｅ)の値が３以下で通信可能か
ＤＴＣＰ−ＩＰ仕様にて定義されるＲＴＴ（Ｒｏｕｎｄ  Ｔｒｉｐ  Ｔｉｍｅ）が７ｍｓ以内であるか
【００３６】
・認証用のサーバがコンテンツサーバ装置２０とは別に存在する著作権管理方式の場合
著作権管理方式利用可能判定部１０３は認証用サーバへコンテンツ取得端末１００がアクセス可能であり、その他、著作権管理方式固有の制限があれば、それも満足するかどうかを調べる。
【００３７】
図８は著作権管理方式優先度プロファイル８００を表す図である。次に、コンテンツ取得制御部１０８は、著作権管理方式優先度管理部１０７が管理する図８に示す著作権管理方式優先度プロファイル８００の取得を著作権管理方式優先度管理部１０７へ要求する（ＳＴ２２１）。著作権管理方式優先度プロファイル８００は著作権の管理方式毎に優先度が割り当てられるという構成を取っている。図８の著作権管理方式優先度プロファイル８００には、著作権管理方式８０１及び著作権管理方式８０１に対応する優先度８０２が表示される。著作権管理方式優先度管理部１０７は、著作権管理方式優先度プロファイル８００をコンテンツ取得制御部１０８へ応答する（ＳＴ２２２）。
【００３８】
コンテンツ取得制御部１０８は、ＳＴ２２０で応答されたコンテンツ取得予定リスト７００に含まれる著作権管理方式７０３について、利用不可である方式に対応するコンテンツをフィルタリングする。次いでコンテンツ取得制御部１０８は、ＳＴ２２２で取得した著作権管理方式８０１の優先度８０２に従い、コンテンツ取得予定リスト７００を優先度が高い順に整列する（優先度が高いものがリストの先頭にくるように整列する）（ＳＴ２２３）。
【００３９】
図９はコンテンツメタデータの応答結果から生成した図７に示すコンテンツ取得予定リスト７００に対し、著作権管理方式優先度管理プロファイル８００の優先度に基づいてフィルタリング又は整列を行ったときのコンテンツ取得予定リストである。例えば、図７に示したコンテンツ取得予定リスト７００に対して、著作権管理方式７０３の中で「方式Ａ」が利用不可と判定され、図８に示した著作権管理方式優先度プロファイル８００に従って整列した場合、結果として生成されるコンテンツ取得予定リスト９００は図９に示すようになる。図９において７０１〜７０５は図７に示したものと同様であり、説明を省略する。
【００４０】
ＳＴ２２３においてコンテンツ取得予定リスト９００を生成した時点で、どのコンテンツをどのような順番で取得すればよいかの情報は得られたことになる。しかし、実際のコンテンツを取得する前には、それぞれの著作権管理方式に応じた機器同士の認証や、暗号化されたコンテンツの暗号を復号するために必要な鍵交換処理を行う必要がある。
【００４１】
そこで、コンテンツ取得制御部１０８は、コンテンツ取得予定リスト９００に含まれる著作権管理方式全てについて認証・鍵交換部１０４に対し、認証および鍵交換の処理を要求する（ＳＴ２２４）。認証・鍵交換部１０４は、コンテンツサーバ装置２０に対しそれぞれの著作権管理方式に応じて認証および鍵交換処理を行う（ＳＴ２２５）。
【００４２】
認証・鍵交換部１０４は、コンテンツ取得端末１００とコンテンツサーバ装置２０の間での認証処理の結果及び交換した鍵の情報をコンテンツ取得制御部１０８へ応答する（ＳＴ２２６）。
次にコンテンツ取得制御部１０８は、コンテンツ取得予定リスト９００に従い、リストの先頭から順にコンテンツダウンロード部１０５に対してコンテンツの取得・蓄積要求を行う（ＳＴ２２７）。このとき、コンテンツ取得予定リスト９００に記載されたＵＲＩ７０５と、ＳＴ２２６で取得した鍵情報も同時にコンテンツダウンロード部１０５に受け渡す。
【００４３】
コンテンツダウンロード部１０５は、受け取ったＵＲＩ７０５に対して例えばＨＴＴＰ（ＨｙｐｅｒＴｅｘｔ  Ｔｒａｎｓｆｅｒ  Ｐｒｏｔｏｃｏｌ）などのコンテンツ転送プロトコルにより、コンテンツサーバ装置２０に対して、コンテンツの取得要求を行う（ＳＴ２２８）。コンテンツサーバ装置２０は、指定されたコンテンツをコンテンツ取得端末１００に対して配信する（ＳＴ２２９）。
【００４４】
コンテンツダウンロード部１０５は、ＳＴ２２７においてコンテンツ取得制御部１０８より受け取ったコンテンツの暗号を解読するための鍵情報を用いて、暗号化を解除すると共に、更にコンテンツ取得端末１００内部でのみ用いるローカル暗号を施しながら、コンテンツ蓄積部１０６に対して受信したコンテンツの蓄積要求を行う（ＳＴ２３０）。コンテンツ蓄積部１０６はコンテンツの蓄積が完了した際には、コンテンツ蓄積完了通知をコンテンツダウンロード部１０５へ応答する（ＳＴ２３１）。
【００４５】
コンテンツダウンロード部１０５は、コンテンツの取得および蓄積が完了したことをコンテンツ取得制御部１０８へ通知する（ＳＴ２３２）。
ＳＴ２２７〜ＳＴ２３２は、コンテンツ取得予定リスト９００に記載される取得予定コンテンツのうち、ある一つのコンテンツを取得するための処理であるため、コンテンツ取得制御部１０８は、必要な回数だけＳＴ２２７〜ＳＴ２３２の処理を繰り返す。
【００４６】
コンテンツ取得予定リスト９００に記載された全ての取得予定コンテンツを取得したら、コンテンツ取得制御部１０８は、コンテンツ取得完了通知をユーザインタフェース部１０９へ通知する（ＳＴ２３３）。
【００４７】
図１０はユーザインタフェース部１０９が表示するコンテンツリストの一例である。ユーザインタフェース部１０９は、ＳＴ２３３でコンテンツ取得完了通知を受けた後、取得したコンテンツを再生するために図１０のようなコンテンツ取得端末１００において再生可能なコンテンツの一覧を表示するコンテンツリスト１０００を表示して、ユーザがコンテンツの再生を行えるようにしてもよい。
【００４８】
上記実施の形態１におけるコンテンツ取得端末１００は、車載プレイヤ機器や携帯電話など通信状況が動的に変化する環境において用いられることを想定しており、そのような場合、より利用できる機会が少ない著作権管理方式のコンテンツを優先的に取得するように著作権管理方式優先度プロファイル８００を定めておくことで、ユーザはコンテンツサーバ装置２０に記憶されているコンテンツの視聴機会を増やすことができる。
【００４９】
実施の形態２．
図１１は実施の形態２についての構成を示すブロック図である。図１１におけるコンテンツ取得端末１１００は著作権管理方式利用可能判定部１１０１、優先度プロファイル自動変更部１１０２及び著作権管理方式優先度管理部１１０３が実施の形態１と異なる。その他、実施の形態１と同様の機能を持つブロックは同じ番号で参照するものとし、説明を省略する。図１１において、著作権管理方式利用可能判定部１１０１は要求された著作権管理方式に対して定期的に前記著作権管理方式が利用可能であるかどうかを判定する。
【００５０】
優先度プロファイル自動変更部１１０２は著作権管理方式利用可能判定部１１０１へ特定の著作権管理方式が利用可能であるかを問い合わせ、その利用可能状況により著作権管理方式優先度管理部１１０３が管理する優先度プロファイルを自動で変更する。著作権管理方式優先度管理部１１０３は優先度プロファイルを管理する。
【００５１】
次に本実施の形態２によるコンテンツ取得端末１１００の動作を以下に説明する。
優先度プロファイル自動変更部１１０２は、著作権管理方式優先度管理部１１０３が管理する著作権管理方式優先度プロファイルに記載される複数の著作権管理方式に関して、著作権管理方式利用可能判定部１１０１に対し利用可能かどうかを定期的に確認するよう要求する。
【００５２】
著作権管理方式利用可能判定部１１０１は、要求された著作権管理方式について、定期的に各著作権管理方式が利用可能であるかどうかを判定する。その際、各著作権管理方式に関して、それぞれ利用可能になったタイミング、また利用不可になったタイミングで優先度プロファイル自動変更部１１０２へ通知を行う。
【００５３】
図１２は各著作権管理方式毎にコンテンツが利用可能な累計時間についての表である。優先度プロファイル自動変更部１１０２は、著作権管理方式利用可能判定部１１０１からの通知に基づき、各著作権管理方式が利用可能であった累計時間を図１２のように管理する。図１２の著作権管理方式別累計利用可能時間の表１２００には、著作権管理方式１２０１に応じた著作権管理方式の累計の利用可能時間１２０２が管理されている。
【００５４】
優先度プロファイル自動変更部１１０２はより利用可能時間が短い著作権管理方式を、より利用する機会が貴重である著作権管理方式と判定して、利用可能時間が少ない著作権管理方式の優先度が高くなるよう、著作権管理方式優先度管理部１１０３が管理する著作権管理方式優先度プロファイルを自動的に変更するよう要求する。
【００５５】
上記実施の形態２によるコンテンツ取得端末１１００によれば、ユーザ利用形態によって様々に異なる通信環境に応じて、動的に優先度プロファイルを変更することができるため、ユーザはコンテンツサーバ装置２０に記憶されているコンテンツの視聴機会を、各ユーザの生活スタイルに応じて増やすことができる。
【符号の説明】
【００５６】
２０  コンテンツサーバ装置、３０  無線アクセスポイント、４０  無線ルータ、５０  インターネット、１００  コンテンツ取得端末、１０１  通信インタフェース、１０２  メタデータ取得部、１０３  著作権管理方式利用可能判定部、１０４  認証・鍵交換部、１０５  コンテンツダウンロード部、１０６  コンテンツ蓄積部、１０７  著作権管理方式優先度管理部、１０８  コンテンツ取得制御部、１０９  ユーザインタフェース部、３００  サーバ選択画面、３０１〜３０３  サーバ名、４００  コンテンツ取得設定画面、４０１  サーバ名、４０２〜４０４  サーバ名４０１のサーバが外部に公開するディレクトリの中で最上位層に配置されるもの、５００  コンテンツ取得設定画面、２８  切替制御部、５０１  サーバ名、５０２  図４のコンテンツ取得設定画面で選択し、４０４で示されたディレクトリ、５０３，５０４  ５０２の下位に位置するディレクトリ、６００  コンテンツ取得設定画面、６０１  設定ＩＤ、６０２  サーバ名、６０３  タイトル、６０４  オブジェクトＩＤ、６０５  設定属性、６０６  取得状況、７００  コンテンツ取得予定リスト、７０１  取得リストＩＤ、７０２  タイトル、７０３  著作権管理方式、７０４  フォーマット、７０５  ＵＲＩ、８００  著作権管理方式優先度プロファイル、８０１  著作権管理方式、８０２  優先度、９００  コンテンツ取得予定リスト、１０００  コンテンツリスト、１１００  コンテンツ取得端末、１１０１  著作権管理方式利用可能判定部、１１０２  優先度プロファイル自動変更部、１１０３  著作権管理方式優先度管理部、１２００  著作権管理方式別累計利用可能時間、１２０１  著作権管理方式、１２０２  累計利用可能時間。
【図１】
2011215761.tif 000003
【図２】
2011215761.tif 000004
【図３】
2011215761.tif 000005
【図４】
2011215761.tif 000006
【図５】
2011215761.tif 000007
【図６】
2011215761.tif 000008
【図７】
2011215761.tif 000009
【図８】
2011215761.tif 000010
【図９】
2011215761.tif 000011
【図１０】
2011215761.tif 000012
【図１１】
2011215761.tif 000013
【図１２】
2011215761.tif 000014